(57)【要約】      （修正有）【課題】回転方式に化粧品の内容物を適当量吐出させて使用する回転型化粧品容器を提供する。【解決手段】回転型化粧品容器は、化粧品容器の上下部の外観を構成するケースユニット１００と、ケースユニット１００の内部に配置されて化粧内容物が貯蔵される貯蔵容器と、貯蔵容器を強制上昇させるポンプユニットと、貯蔵容器の内容物が吐出キャップ５００に移動するようにガイドするガイドユニットと、ガイドユニットに沿って移動された内容物を吐出する吐出キャップ５００を含む。【選択図】図１
2019195599.tif 000002
【特許請求の範囲】
【請求項１】
上部が開放されながら内部に受容空間を形成し、前記受容空間の縁から上側方向に突出形成された上昇ガイド突起が備えられる下部ケースと、前記下部ケースの上部を開閉するように前記下部ケースの上部に結合される上部ケースからなるケースユニットと、
上部が開放された円筒状であって、外周面の円周に沿ってねじ山構造に形成される第１の回転突起と、前記上昇ガイド突起が挿入されるように外周面に形成される上昇ガイド溝を備え、前記上昇ガイド突起に支持されて上昇する貯蔵容器と、
外壁と内壁の二重壁構造をなして分割プレートを基準に上下部が開放される円筒状をなし、中央が開放された結合溝を形成するガイドリブと、前記外壁の内面にねじ山構造に形成される第２の回転突起と、前記内壁の内面に形成される回転ガイド溝と、前記ガイドリブの側部に配置される弾性部材を備え、前記第１の回転突起と前記第２の回転突起が型合わせされるように前記貯蔵容器を下部に結合させるポンプユニットと、
上側に突出される多数の吐出突起が円形に配列される円板状のヘッド部と、前記ヘッド部の中央領域の下部に突出されて中空の流路を形成する円筒状のロッド部で構成され、前記ポンプユニットの前記結合溝に結合されるガイドユニットと、
上部にはパフ溝を形成する円板状のベースプレートと、前記ベースプレートの下側に突出されて前記ヘッド部を受容し結合させる円筒状の吐出リブと、前記吐出突起に対応する位置で前記ベースプレートを貫通する多数の吐出口と、前記吐出リブの側部で前記ポンプユニットの前記回転ガイド溝に対応する位置に形成されて前記回転ガイド溝に挿入されるように結合される回転ガイド突起と、前記吐出リブの側部に形成されて前記ポンプユニットの弾性部材に支持される逆回転リブからなる吐出キャップと、を含み、
外力による前記吐出キャップの回転で前記吐出口の開放及び内容物の吐出が順次に行われ、前記弾性部材による前記吐出キャップの逆回転で前記吐出口が密閉されるように構成される回転型化粧品容器。
【請求項２】
前記ガイドリブは前記中央に形成される開閉突起を備え、
前記開閉突起は、前記ガイドユニットが上昇することで前記ロッド部の流路を開放して内容物の移動経路を提供し、前記ガイドユニットが下降することで前記ロッド部の流路を閉鎖して内容物の移動を遮断する請求項１に記載の回転型化粧品容器。
【請求項３】
前記ロッド部は、前記流路の周辺に沿って下側に突出形成されて前記開閉突起の挿入をガイドする開閉リブを備える請求項２に記載の回転型化粧品容器。
【請求項４】
前記回転ガイド溝は、
回転方向に対して上向きに傾斜する傾斜溝と、前記傾斜溝の上側または下側の端部に形成される回避溝を含む請求項１に記載の回転型化粧品容器。
【請求項５】
前記弾性部材は、
弾性バネと前記弾性バネを支持するストッパで構成され、
外力で前記吐出キャップが回転されると前記逆回転リブによって加圧され、外力が除去されると前記逆回転リブを加圧して前記吐出キャップを逆回転させる請求項１に記載の回転型化粧品容器。
【請求項６】
前記ヘッド部には前記流路と各吐出突起を連結する放射状の連結溝が形成され、前記ベースプレートの下面には、各吐出口を円形に連結するスライディング溝が形成される請求項１に記載の回転型化粧品容器。
【請求項７】
前記ポンプユニットは、
内壁の外周面に沿って下向きに傾斜しながら外側に突出される前記貯蔵容器の内面に密着される第１の羽部を備える請求項１に記載の回転型化粧品容器。
【請求項８】
前記ヘッド部は、
縁に沿って突出されて前記吐出リブの内面に密着される第２の羽部を備える請求項１に記載の回転型化粧品容器。
【請求項９】
前記吐出リブは、
内周面に形成されて前記第２の羽部の端部がかかる係り部材を備える請求項８に記載の回転型化粧品容器。
【請求項１０】
前記上昇ガイド突起は、上端部が回転方向に対して上向きに傾斜する傾斜面を形成し、前記貯蔵容器は、下端部が前記上昇ガイド突起の上端部から逸脱する際に前記傾斜面に沿って回転と上昇が同時に行われるように構成される請求項１に記載の回転型化粧品容器。
【発明の詳細な説明】
【技術分野】
【０００１】
本発明は化粧品容器に関し、より詳しくは、回転方式に化粧品の内容物を適当量吐出させて使用する回転型化粧品容器に関する。
【背景技術】
【０００２】
一般に、化粧用コンパクトケースは、内容物を有する内容物本体が下部に配置され、内容物本体を覆う蓋が内容物容器の上に配置されて内容物の漏洩を１次的に遮断するように構成されている。
【０００３】
そして、内容物本体の上部には内部蓋と外部蓋が位置し、外部蓋は内容物本体にヒンジ結合されるか、雌雄結合されて内容物を２次的に遮断する。
【０００４】
ところが、このような従来の化粧用コンパクトケースは、内容物本体の上にある外部蓋を開けてみると時々内容物が漏れていることがある。つまり、内容物本体の中にある内容物が、内容物本体と内部蓋の隙間、または内容物が吐出される吐出口を介して漏洩することがある。このように、内容物本体の外部に漏洩した内容物は、内部蓋と外部蓋を汚染する。
【０００５】
そのため、内容物をつけて塗るのに使用されるブラシやスポンジ、或いはパフが内容物によって汚染されるため使用することが不便になり、内容物の漏洩のため実質的に使用し得る内容物の量が減ってしまう問題点がある。
【０００６】
その上、内容物が液状であれば更に漏洩しやすく、液状の内容物が吐出されるように構成された液状吐出容器は、使用前に液状の化粧品が貯蔵されている内部空間の内圧によって吐出口側に液状の化粧品が瞬間的に強く噴射されることで、液状の化粧品が浪費されるか液状の化粧品による汚染が生じる恐れがある。
【０００７】
また、吐出口が中央部に一つのみ存在する液状吐出容器は、パフのような広い化粧道具に一度につけて大量に使用することが難しいため、広い面積を化粧するには不便であった。
また、従来の化粧用コンパクトケースは、吐出口の開放と内容物の吐出が正確に連動されず使用者の望みの量の内容物を吐出することが難しい短所があり、使用者の意図とは関係なく、予め決められた量だけ吐出されるため、使用者による吐出量の制御が難しいところがある。
【先行技術文献】
【特許文献】
【０００８】
【特許文献１】ＫＲＡ１０−２０１８−００３５３２９号公報
【発明の概要】
【発明が解決しようとする課題】
【０００９】
本発明は前記のような問題点を解決するために提案されたものであり、内容物が吐出経路以外の外部へは漏洩されないようにして内容物の浪費を防止し、コンパクトケースの汚染を防止することができる化粧品容器を提供することを目的とする。
【００１０】
本発明の他の目的は、内容物を広くムラなく吐出させて使用することができる化粧品容器を提供することにある。
【００１１】
本発明の他の目的は、吐出口の開放及び密閉と内容物の吐出が正確に連動されて内容物の吐出を容易に制御することで、使用者の便宜性を向上させる化粧品容器を提供することにある。
【００１２】
本発明の他の目的は、使用者の選択に応じて内容物の吐出量を容易に調節することで、使用者の便宜性を向上させる化粧品容器を提供することにある。
【００１３】
本発明の他の目的は、貯蔵容器内部の内容物が切れると貯蔵容器がケース本体から自動的に脱離されるようにすることで、貯蔵容器の取り替え時期を容易に察知できるようにする化粧品容器を提供することにある。
【課題を解決するための手段】
【００１４】
前記のような目的を達成するための本発明の回転型化粧品容器は、上部が開放されながら内部に受容空間を形成し、前記受容空間の縁から上側方向に突出形成された上昇ガイド突起が備えられる下部ケースと、前記下部ケースの上部を開閉するように前記下部ケースの上部に結合される上部ケースからなるケースユニットと、上部が開放された円筒状であって、外周面の円周に沿ってねじ山構造に形成される第１の回転突起と、前記上昇ガイド突起が挿入されるように外周面に形成される上昇ガイド溝を備え、前記上昇ガイド突起に支持されて上昇する貯蔵容器と、外壁と内壁の二重壁構造をなして分割プレートを基準に上下部が開放される円筒状をなし、中央が開放された結合溝を形成するガイドリブと、前記外壁の内面にねじ山構造に形成される第２の回転突起と、前記内壁の内面に形成される回転ガイド溝と、前記ガイドリブの側部に配置される弾性部材を備え、前記第１の回転突起と前記第２の回転突起が型合わせされるように前記貯蔵容器を下部に結合させるポンプユニットと、上側に突出される多数の吐出突起が円形に配列される円板状のヘッド部と、前記ヘッド部の中央領域の下部に突出されて中空の流路を形成する円筒状のロッド部で構成され、前記ポンプユニットの前記結合溝に結合されるガイドユニットと、上部にはパフ溝を形成する円板状のベースプレートと、前記ベースプレートの下側に突出されて前記ヘッド部を受容し結合させる円筒状の吐出リブと、前記吐出突起に対応する位置で前記ベースプレートを貫通する多数の吐出口と、前記吐出リブの側部で前記ポンプユニットの前記回転ガイド溝に対応する位置に形成されて前記回転ガイド溝に挿入されるように結合される回転ガイド突起と、前記吐出リブの側部に形成されて前記ポンプユニットの弾性部材に支持される逆回転リブからなる吐出キャップと、を含み、外力による前記吐出キャップの回転で前記吐出口の開放及び内容物の吐出が順次に行われ、前記弾性部材による前記吐出キャップの逆回転で前記吐出口が密閉されるように構成される。
【００１５】
ここで、前記ガイドリブは前記中央に形成される開閉突起を備え、前記開閉突起は、前記ガイドユニットが上昇することで前記ロッド部の流路を開放して内容物の移動経路を提供し、前記ガイドユニットが下降することで前記ロッド部の流路を閉鎖して内容物の移動を遮断する。
【００１６】
また、前記ロッド部は、前記流路の周辺に沿って下側に突出形成されて前記開閉突起の挿入をガイドする開閉リブを備える。
【００１７】
また、前記回転ガイド溝は、回転方向に対して上向きに傾斜する傾斜溝と、前記傾斜溝の上側または下側の端部に形成される回避溝を含む。
【００１８】
また、前記弾性部材は弾性バネと前記弾性バネを支持するストッパで構成され、外力で前記吐出キャップが回転されると前記逆回転リブによって加圧され、外力が除去されると前記逆回転リブを加圧して前記吐出キャップを逆回転させる。
【００１９】
また、前記ヘッド部には前記流路と各吐出突起を連結する放射状の連結溝が形成され、前記ベースプレートの下面には、各吐出口を円形に連結するスライディング溝が形成される。
【００２０】
また、前記ポンプユニットは、内壁の外周面に沿って下向きに傾斜しながら外側に突出される前記貯蔵容器の内面に密着される第１の羽部を備える。
【００２１】
また、前記ヘッド部は、縁に沿って突出されて前記吐出リブの内面に密着される第２の羽部を備える。
【００２２】
また、前記吐出リブは、内周面に形成されて前記第２の羽部の端部がかかる係り部材を備える。
【発明の効果】
【００２３】
本発明は、内容物が移動する経路に沿って多数の位置から経路を密封する羽部が備えられることで内容物が漏洩されず、特に、吐出口が先に開放されてから貯蔵容器に吐出圧力が加えられることで、貯蔵容器の内圧による瞬間的な噴出が発生せず、それによる内容物の漏洩と装置の汚染が発生しない。
【００２４】
また、本発明は使用者の意図に応じて内容物の吐出量を任意に調節することができ、使用の便利性が向上される。
【図面の簡単な説明】
【００２５】
【図１】図１は、本実施例の回転型化粧品容器を示す斜視図である。
【図２】図２は、図１の化粧品容器を示す分解斜視図である。
【図３】図３は、図１の化粧品容器を示す結合断面図である。
【図４】図４は、図１の主要部である下部ケースと貯蔵容器の結合構造を示す斜視図である。
【図５】図５は、図１の主要部であるポンプユニットと吐出キャップを示す分解斜視図である。
【図６】図６は、図１の主要部であるガイドユニットと吐出キャップの結合構造を示す分解斜視図である。
【図７】図７は、本実施例の主要部であるガイドユニットと吐出キャップの分離及び結合過程を示す断面図である。
【図８】図８は、本実施例の主要部であるガイドユニットと吐出キャップの分離及び結合過程を示す断面図である。
【図９】図９は、本実施例による回転型化粧品容器の内容物の吐出過程を示す図である。
【図１０】図１０は、本実施例による回転型化粧品容器の内容物の吐出過程を示す図である。
【図１１】図１１は、本実施例による回転型化粧品容器の内容物の吐出過程を示す図である。
【図１２】図１２は、本実施例による回転型化粧品容器の内容物の吐出過程を示す図である。
【発明を実施するための形態】
【００２６】
本発明と本発明の実施によって達成される技術的課題は、以下で説明する好ましい実施例によって明確になるはずである。以下、添付した図面を参照して本発明の好ましい実施例を詳細に説明する。後述する本発明の実施例における差は、交互排他的ではない事項として理解すべきである。つまり、本発明の技術思想及び範囲を逸脱しないながらも、記載されている特定の形状、構造及び特性は、一実施例に関連して他の実施例に具現されてもよく、それぞれの開示された実施例内の個別構成要素の位置または配置は変更可能であることを理解すべきであり、図面において類似した参照符号は多様な側面に亘って同じであるか類似した機能を指し、長さ及び面積、厚さなどとその形態は、便宜上誇張されて表現されていることがある。
【００２７】
図１は本実施例の回転型化粧品容器を示す斜視図であり、図２及び図３は図１の化粧品容器を示す分解斜視図と結合断面図であり、図４は図１の主要部である下部ケースと貯蔵容器の結合構造を示す斜視図であり、図５は図１の主要部であるポンプユニットと吐出キャップを示す分解斜視図であり、図６は図１の主要部であるガイドユニットと吐出キャップの結合構造を示す分解斜視図である。
【００２８】
図１乃至図３を参照すると、本実施例の回転型化粧品容器は、化粧品容器の上下部の外観を構成するケースユニット１００と、ケースユニット１００の内部に配置されて化粧内容物が貯蔵される貯蔵容器２００と、貯蔵容器２００を強制上昇させるポンプユニット３００と、貯蔵容器２００の内容物が吐出キャップ５００に移動するようにガイドするガイドユニット４００と、ガイドユニット４００に沿って移動された内容物を吐出する吐出キャップ５００を含む。
【００２９】
詳しくは、ケースユニット１００は下部ケース１１０と上部ケース１２０に区分され、内部に貯蔵容器２００、ポンプユニット３００、ガイドユニット４００、吐出キャップ５００、及びパフ（図示せず）を受容する。ケースユニット１００は中空の円筒状をなし、下部ケース１１０は上部が開放されて構成品を受容する本体として機能し、上部ケース１２０は下部ケース１１０を開閉するカバーとして機能する。そのために、下部ケース１１０と上部ケース１２０には開閉のためのヒンジ部材１３０と、ロックのためのロック部材１４０がそれぞれ設けられる。
【００３０】
ヒンジ部材１３０は、ケースユニット１００の後方で下部ケース１１０に形成されるヒンジ軸１３１と、上部ケース１２０に形成されるヒンジフック１３２で構成される。ヒンジ軸１３１とヒンジフック１３２の結合によって、上部ケース１２０はヒンジ部材１３０を軸に回動しながら下部ケース１１０を開閉する。ロック部材１４０は、ケースユニット１００の前方で下部ケース１１０に形成される第１ロック突起１４１と、上部ケース１２０の内面に形成される第２ロック突起１４２で構成される。第１ロック突起１４１と第２ロック突起１４２は互いに食い違う位置に形成されて上部ケース１２０が閉まった状態で互いにロックされるが、使用者による強制外力で分離されてロックが解除される。よって、本実施例のケースユニット１００はヒンジとロック突起を利用した簡単な構造で上下部ケースの開閉が行われるため、使用者の操作が容易な長所がある。
【００３１】
また、下部ケース１１０の内部縁の一側には貯蔵容器２００の上昇をガイドする上昇ガイド突起１１１が形成され、内部縁の他側にはポンプユニット３００が逆回転を防止するための逆回転防止レバー１１３が形成される。上昇ガイド突起１１１と逆回転防止レバー１１３は下部ケース１１０の底面から上側に突出されて形成されるか、壁面から内側に突出されて形成される。
【００３２】
貯蔵容器２００は化粧品の材料となる内容物が貯蔵される空間であって、上部が開放されて内部に貯蔵空間を形成する円筒状の容器で構成される。また、貯蔵容器２００は容器の外周面に沿ってねじ山構造の第１の回転突起２１０が形成され、一側の外周面には上昇ガイド溝２２０が形成される。
【００３３】
図４を参照すると、貯蔵容器２００は、上昇ガイド溝２２０に上昇ガイド突起１１１が挿入されるように下部ケース１１０に結合される。よって、貯蔵容器２００は、ポンプユニット３００が回転すると上昇ガイド突起１１１によって回転が阻止されながら、上昇ガイド突起１１１の垂直方向に沿って上昇移動するようになる。上昇ガイド突起１１１と上昇ガイド溝２２０は一対をなして互いに内応する位置に形成され、円周方向に沿って多数個形成される。
【００３４】
また、上昇ガイド突起１１１は、上端部が傾斜をなす傾斜面１１２を有する。傾斜面１１２は、貯蔵容器２００の内容物が切れると貯蔵容器２００の上昇を解除し、使用者が内容物が切れていることを容易に察知できるようにする。
【００３５】
そのための上昇ガイド突起１１１の傾斜面１１２は、回転方向に上向きに傾斜する。貯蔵容器２００は上昇されるにつれ内容物が次第と切れるようになり、底面が上昇ガイド突起１１１の上端部に位置する際に内容物が殆ど切れるようになる。よって、貯蔵容器２００は底面が上昇ガイド突起１１１の傾斜面１１２の下端に位置すると共に、回転力によって傾斜面１１２に沿って上昇及び回転しながら下部ケース１１０から脱離される。この際、使用者は内容物が切れていることを察知し、貯蔵容器の取り替え時期を知る。
【００３６】
更に図２を参照すると、貯蔵容器２００には底面が開放されながら内容物が充填される充填孔２３０’が形成され、充填孔２３０’には貯蔵容器２００の内外部を密閉する密閉キャップ２３０が結合される。密閉キャップ２３０と充填孔２３０’は内容物が切れてから貯蔵容器の内部に内容物を更に充填するようにすることで、貯蔵容器２００を再使用できるようにする。
【００３７】
ポンプユニット３００は外力による回転で貯蔵容器２００を強制上昇させる構成であって、中央の分割プレート３００’を基準に上下部が開放される円筒状をなす。ポンプユニット３００は下部空間に貯蔵容器２００を受容及び結合させ、上部空間に吐出キャップ５００を受容及び結合させる。そのためのポンプユニット３００は、貯蔵容器２００を結合させる外壁３１０と、吐出キャップ５００を結合させる内壁３２０の二重壁構造をなす。
【００３８】
また、ポンプユニット３００には、内壁３２０に吐出キャップ５００の回転ガイド突起５３０が挿入される回転ガイド溝３２１が形成される。回転ガイド溝３２１は内壁３２０が凹んだ溝状をなすか内壁が貫通する孔状をなし、円周方向に沿って少なくとも一つ以上形成される。回転ガイド溝３２１は、円周方向に対して傾斜しながら形成される。
【００３９】
図５を参照すると、回転ガイド溝３２１は、吐出キャップ５００の回転方向に対して上向きに傾斜する傾斜溝３２１ａと、傾斜溝３２１ａの下側端部で傾斜溝３２１ａとは傾斜方向が異なる第１の回避溝３２１ｂと、傾斜溝３２１ａの上側端部で傾斜溝３２１ａと傾斜方向が異なる第２の回避溝３２１ｃとからなる。第１の回避溝３２１ｂと第２の回避溝３２１ｃは、水平方向または垂直方向をなす。また、傾斜溝３２１ａと第１の回避溝３２１ｂの間には係り突起３２１ｄが形成される。係り突起３２１ｄは、水平方向の第１の回避溝３２１ｂから突出されるか、第１の回避溝３２１ｂが回転方向に対して微細に下向きに傾斜するように形成されてもよい。
【００４０】
傾斜溝３２１ａは、吐出キャップ５００の回転ガイド突起５３０、詳しくは、突出部５３２が挿入された状態で吐出キャップ５００が回転することで回転ガイド突起５３０が傾斜溝３２１ａに沿って上昇するようにガイドし、吐出キャップ５００が反対側に回転されることで下降するようにして、元の位置に戻す。
【００４１】
第１の回避溝３２１ｂは、吐出キャップ５００が回転を開始する前に回転ガイド突起５３０が回避される空間を提供し、第２の回避溝３２１ｃは、吐出キャップ５００が回転し続けることで回転ガイド突起５３０を位置させてポンプユニット３００が共に回転されるようにする。係り突起３２１ｄは、回転ガイド突起５３０の突出部５３２が第１の回避溝３２１ｂに位置した状態で、外部の衝撃などによって突出部５３２が傾斜溝３２１ａに移動されないようにする。つまり、外部衝撃などによって回転ガイド突起５３０の突出部５３２が傾斜溝３２１ａに移動される際、使用者の意図とは関係なく吐出口５１１が開放することがあるが、係り突起３２１ｄはこれを防止する。
【００４２】
また、ポンプユニット３００は吐出キャップ５００が受容される上部空間に配置される弾性体３２２を含み、弾性体３２２を支持するストッパ３２３が分割プレート３００’または内壁３２０に形成される。弾性体３２２は、吐出キャップ５００が回転してから更に元の位置に戻るように逆回転させ、弾性バネで構成される。弾性体３２２は回転方向に並んだ水平方向に配置されるが、一側はストッパ３２３に支持され、他側は吐出キャップ５００の逆回転リブ５４０に支持される。
【００４３】
また、ポンプユニット３００の外壁３１０の内周面には、貯蔵容器２００の第１の回転突起２１０に対応するねじ山構造の第２の回転突起３１１が形成される。第２の回転突起３１１は第１の回転突起２１０とねじ締結構造で組み立てられ、ポンプユニット３００が回転すると貯蔵容器２００は上昇ガイド突起１１１によって回転が阻止されるため、ポンプユニット３００と貯蔵容器２００は回転方向に沿って互いに近接されるか離隔される。
【００４４】
この際、ポンプユニット３００の外壁３１０と内壁３２０の間には貯蔵容器２００の側壁が挿入される所定の間隔が形成されるが、内壁３２０は貯蔵容器２００より小さい直径をなす。この際、貯蔵容器２００とポンプユニット３００の内壁３２０の間には微細な隙間が形成され、貯蔵容器２００の内容物が漏洩する恐れがある。このような内容物の漏洩を防止するために、内壁３００には外周面に沿って外側に突出される第１の羽部３２４が形成される。第１の羽部３２４は下向きに傾斜し、端部の直径が貯蔵容器２００の内径より微細に大きく形成されて貯蔵容器２００の側壁の内面に密着されることで、貯蔵容器２００の上昇移動を妨げないながらも内容物が外部に漏洩することを防止する。
【００４５】
また、第１の羽部３２４は内壁３２０と一体をなして延長され、貯蔵容器２００とポンプユニット３００の不整合を防止する。貯蔵容器２００はポンプユニット３００の回転運動によって上側に直線運動するが、この際、重心の不一致などで一側に傾くことがある。このような貯蔵容器２００の傾きは、ポンプユニット３００と不整合に結合されて上昇移動に誤作動を起こす恐れがある。第１の羽部３２４は貯蔵容器の内壁に密着されて中央を中心に円形の縁が均衡をなすようにすることで、貯蔵容器２００が上昇過程でポンプユニット３００に不整合に結合されることを防止する。
【００４６】
また、ポンプユニット３００の外壁３１０の外周面には、ポンプユニット３００が一方向にのみ回転し逆方向に回転されないようにする逆回転防止突起３１２が形成される。前記逆回転防止突起３１２は多数の楔状の歯構造をなし、下部ケース１１０の逆回転防止レバー１１３と噛み合ってポンプユニット３００が一方向にのみ回転されるようにする。
また、ポンプユニット３００には、中央部にガイドユニット４００を受容及び結合させるためのガイドリブ３３０が円形に突出形成される。
【００４７】
図５を参照すると、ガイドリブ３３０は中央が開口された円筒状であって、内部にはガイドユニット４００のロッド部４２０を受容する結合溝３３１を形成する。また、ガイドリブ３３０には回転力をガイドユニット４００に伝達する一つ以上の係り溝３３２が形成される。また、結合溝３３１には、下部が開口されてロッド部４２０の流路４２３を貯蔵容器２００と連結させ、中央にはロッド部４２０の流路４２３を開閉する開閉突起３３３が形成される。開閉突起３３３は、ポンプユニット３００とガイドユニット４００が接近または離隔される動作でガイドユニット４００の流路４２３を開閉する（図７及び図８を参照）。
【００４８】
図２及び図３を参照すると、ガイドユニット４００は吐出キャップ５００の吐出口５１１を開閉しながら貯蔵容器２００の内容物が吐出口５１１を介して吐出されるようにする。ガイドユニット４００は、吐出キャップ５００に結合されるヘッド部４１０と、ポンプユニット３００に結合されるロッド部４２０で構成される。
【００４９】
ヘッド部４１０は吐出キャップ５００の吐出リブ５２０に挿入されるように円板状をなし、中央部は開口されながらロッド部４２０の流路４２３と連結される。図６を参照すると、ヘッド部５１０は吐出キャップ５００と接する上面に吐出口５１１を開閉する多数の吐出突起４１１を形成する。各吐出突起４１１は、吐出キャップ５００の吐出口５１１に対応する位置に形成され、多数の吐出突起４１１は円形に配列されて形成される。また、各吐出突起４１１は連結溝４１２を媒介にして中央部の流路４２３と連結され、連結溝４１２はヘッド部４１０の表面が窪むように凹んで形成され、吐出突起４１１の周囲を含む領域まで形成される。連結溝４１２は、中央部の流路４２３と側部の各突出突起５１１を放射状に連結し、内容物が移動する通路を提供する。よって、中央部の流路４２３を介して流入される内容物はガイド溝４１２に沿って吐出突起５１１の周囲まで移動しながら、吐出突起５１１の動作に従って吐出口５１１を介して吐出される。
【００５０】
また、ヘッド部４１０は縁に沿って外側に延長される第２の羽部４１３を備える。第２の羽部４１３は、吐出キャップ５００の吐出リブ５２０の内面に密着され、ヘッド部４１０の上昇・下降移動を妨げないながらも、ヘッド部４１０の縁と吐出リブ５２０の間を密封して吐出リブ５２０の内部に流入される内容物が漏洩することを防止する。第２の羽部４１３は、ヘッド部４１０の縁で上側または下側を向いて傾斜する一対の羽で構成され、吐出リブ５２０との密着力を更に向上させる。
【００５１】
ロッド部４２０は、ガイドユニット４００をポンプユニット３００に結合させる。図５を参照すると、ロッド部４２０はヘッド４１０の中央から下側に延長されて形成され、内部に内容物が流入される流路４２３を形成する円筒状をなす。また、ロッド部４２０は外部面にポンプユニット３００の係り溝３３２に対応する係り突起４２１が形成され、係り突起４２１は係り溝３３２に挿入されてガイドユニット４００がポンプユニット３００と共に回転するようにする。
【００５２】
また、ロッド部４２０はガイドリブ３３０の結合溝３３１に挿入されながらポンプユニット３００と結合され、下端部の内部には開閉突起３３３の挿入をガイドする開閉リブ４２２が形成される。つまり、開閉リブ４２２は流路４２３の周辺に沿って下側に延長されて形成される。開閉リブ４２２の内面は開閉突起３３３が容易に結合されるように傾斜面または曲面状をなし、開閉突起３３３が流路４２３に挿入される際、開閉リブ４２２は外側に微細な変形が起こるように、ロッド部４２０が所定の間隔をなすか分離されることが好ましい（図８を参照）。よって、開閉突起３３３はロッド部４２０の流路４２３の内部により深く挿入されて、流路４２３の内壁と面接触をなして流路４２３を効率的に遮蔽する。
【００５３】
このようなガイドユニット４００は、ロッド部４２０がポンプユニット３００のガイドリブ３３０の結合孔３３１に挿入され、ヘッド部４１０が吐出キャップ５００の吐出リブ５２０に挿入されながら組み立てられて、貯蔵容器２００の内容物が吐出キャップ５００に移動するようにガイドする。
【００５４】
吐出キャップ５００は、貯蔵容器２００から流入される内容物を外部に吐出させる構成である。吐出キャップ５００は、上面に窪んだ形状のパフ溝５１０ａを形成するベースプレート５１０と、ベースプレート５１０の下面に逆円筒状に突出される吐出リブ５２０を含む。ベースプレート５１０は、通常時はパフ溝５１０ａにパフを受容し、使用時には使用者による強制回転によって内容物をパフ溝５１０ａに提供する。吐出リブ５２０は内側にガイドユニット４００を結合させ、ガイドユニット４００のヘッド部４１０が吐出口５１１を開閉する空間を提供する。
【００５５】
ベースプレート５１０は、吐出リブ５２０の内側空間で内外部が貫通して内容物が吐出される吐出口５１１を形成する。吐出口５１１は中心部から離隔された位置で円形に配列されて多数個形成され、ヘッド部４１０の吐出突起４１１に対応する位置に形成される。円形に配列される多数の吐出口５１１は、円形のスライディング溝５１２で互いに連結される。スライディング溝５１２は吐出キャップ５００が回転する際、ガイドユニット４００の吐出突起５１１がスライドされながら吐出口５１１を開閉する経路を提供し、吐出口５１１の開閉によって内容物が流入されて吐出される経路を提供する。スライディング溝５１２の幅は、吐出突起５１１の直径より大きい幅に形成される。
【００５６】
吐出リブ５２０は内部空間にガイドユニット４００のヘッド部４１０を受容し、特に、内面には第２の羽部４１３が端部がかかる係り部材５２１が形成される。係り部材５２１は、第２の羽部の下端を支持して吐出キャップ５００の上昇と共にガイドユニット４００が容易に上昇されるようにし、吐出リブ５２０の内周面に沿って形成される溝や突起状に形成される。
【００５７】
また、吐出キャップ５００は、吐出リブ５２０の側部から下側に突出される回転ガイド突起５３０を備える。回転ガイド突起５３０はポンプユニット３００の回転ガイド溝３２１に対応する位置に形成され、吐出リブ５２０周辺の円周方向に沿って一つ以上形成される。回転ガイド突起５３０は、吐出キャップ５００から下側に延長される延長部５３１と、延長部５３１の下端部が外側に突出される突出部５３２で構成される。回転ガイド突起５３０は、突出部５３２が回転ガイド溝３２１に挿入されるようにポンプユニット３００に結合される。
【００５８】
また、吐出キャップ５００は、吐出リブ５２０の側部から下側に突出される逆回転リブ５４０を備える。逆回転リブ５４０はポンプユニット３００の弾性体３２２に弾性支持され、所定の回転角で回転した吐出キャップ５００が弾性体３２２の弾性によって反対側に回転し復帰するようにする。
【００５９】
図７及び図８は、本実施例の主要部であるガイドユニットと吐出キャップの分離及び結合過程を示す断面図である。
【００６０】
まず、図７を参照すると、平常時は吐出キャップ５００の吐出口５１１がガイドユニット４００の吐出突起５１１によって閉まり、ガイドユニット４００の流路４２３はポンプユニット３００の開閉突起３３３に閉められて内容物の移動及び吐出が遮断される。この際、回転ガイド突起５３０の突出部５３２は、回転ガイド溝３２１の第１の回避溝３２１ｂに位置する。
【００６１】
そして、図８を参照すると、使用者が吐出キャップ５００を回転させる際、吐出キャップ５００は回転と上昇が同時に行われるため、吐出キャップ５００の吐出口５１１はガイドユニット４００の吐出突起５１１から円周方向にスライドされながら開放され、ガイドユニット４００は上昇が行われるため開閉リブ４２２が開閉突起３３３から離隔されて流量が開放されることで、内容物が移動及び吐出される経路が確保される。この際、回転ガイド突起５３０の突出部５３２は、回転ガイド溝３２１の第２の回避溝３２１ｃに位置する。
【００６２】
図９乃至図１２は、本実施例による回転型化粧品容器の内容物の吐出過程を示す図であって、図９は吐出口が閉まっている初期状態を示す図であり、図１０は吐出口が開放される過程を示す図であり、図１１は内容物が吐出される過程を示す図であり、図１２は吐出口が更に閉まる過程を示す図である。本発明の回転型化粧品容器において、吐出口の開閉は吐出キャップの回転と復帰で行われるが、この過程で貯蔵容器が上昇し内容物が吐出される。
【００６３】
まず、図９を参照すると、図９の（ａ）のように、初期の閉まっている状態において、吐出キャップ５００の回転ガイド突起５３０の突出部５３２は回転ガイド溝３２１の第１の回避溝３２ｂに位置し、この際、図９の（ｂ）のように逆回転リブ５４０は弾性体３２２を加圧していない状態で弾性体３２２に支持され、同時に図９の（ｃ）のように各吐出突起４１１は各吐出口５１１を密封した状態を維持する。
【００６４】
そして、使用者が吐出キャップ５００を強制に回転させると、図１０の（ａ)のように初期に所定の回転角で回転ガイド突起５３０の突出部５３２が回転ガイド溝３２１の傾斜溝３２１ａに沿って回転及び上昇しながら吐出キャップ５００を上昇させ、それと同時に図１０の（ｂ）のように逆回転リブ５４０は弾性体３２２を加圧し、図１０の（ｃ）のように吐出口５１１は吐出突起４１１から離隔されながら吐出口５１１が開放される。同時にガイドユニット４００は吐出キャップ５００と共に上昇し、ポンプユニット３００の開閉突起３３３から離隔されて流路４２３が開放される。この過程において、ポンプユニット３００はまだ回転されていないため内容物が吐出されない。つまり、吐出キャップ５００の回転初期段階では流路４２３と吐出口５１１の開放のみ行われる。
【００６５】
次に、図１１の（ａ）のように回転ガイド突起５３０の突出部５３２が回転ガイド溝３２１の第２の回避溝３２１ｃに位置した状態で、使用者が吐出キャップ５００を回転させ続けると、図１１の（ｂ）及び（ｃ）のようにポンプユニット３００とガイドユニット４００は吐出キャップ５００と共に回転する。この際、ポンプユニット３００の回転によって貯蔵容器２００が上昇し、貯蔵容器２００の内容物はガイドユニット４００の流路４２３及び連結溝４１２に沿って移動しながら吐出口５１１に吐出される。つまり、使用者による吐出キャップ５００の回転後期段階では、ポンプユニット３００が共に回転しながら内容物の吐出が行われる。この過程において、使用者は吐出キャップ５００の回転角を調節することで、内容物の吐出量を任意に調節することができる。また、吐出口５１１が先に開放されている状態であるため、貯蔵容器の内圧による内容物の強い噴出現象が起こらない。
【００６６】
一方、使用者の意図による量の内容物が吐出された後、吐出キャップ５００に対する外力が除去されると、図１２の（ｂ）のように弾性体３２２が逆回転リブ５４０を加圧して吐出キャップ５００を反対側に回転させるが、この際、図１２の（ａ)のように回転ガイド突起５３０の突出部５３２は回転ガイド溝３２１の傾斜溝３２１ａに沿って第１の回避溝３２１ｂに移動しながら吐出キャップ５００を下降させ、各吐出口５１１は吐出突起４１１によって更に密閉される。つまり、吐出キャップ５００は、外力が除去されると反対方向に回転しながら吐出口５１１が密閉される初期状態に戻る。
【００６７】
上述したように、本発明の例示的な実施例を図示し説明したが、多様な変形と他の実施例が本分野の熟練した技術者によって行われるはずである。このような変形と他の実施例は添付した特許請求の範囲に全て考慮されて含まれるゆえ、本発明の真の趣旨及び範囲を逸脱しないといえる。
【符号の説明】
【００６８】
１００：ケースユニット          １１０：下部ケース
１１１：上昇ガイド突起          １１３：逆回転防止レバー
１２０：上部ケース                      １３０：ヒンジ部材
１４０：ロック部材                      ２００：貯蔵容器
２１０：第１の回転突起          ２２０：上昇ガイド溝
２３０：密閉キャップ            ３００：ポンプユニット
３１０：外壁                            ３１１：第２の回転突起
３１２：逆回転防止突起          ３２０：内壁
３２１：回転ガイド溝            ３２２：弾性体
３２３：ストッパ                        ３２４：第１の羽部
３３０：ガイドリブ                      ３３１：結合溝
３３２：係り溝                  ３３３：開閉突起
４００：ガイドユニット          ４１０：ヘッド部
４１１：吐出突起                        ４１２：連結溝
４１３：第２の羽部                      ４２０：ロッド部
４２１：結合突起                        ４２２：開閉リブ
４２３：流路                            ５００：吐出キャップ
５１０：ベースプレート          ５１１：吐出口
５１２：スライディング溝                ５２０：吐出リブ
５３０：回転ガイド突起          ５３１：延長部
５３２：突出部                  ５４０：逆回転リブ
【図１】
2019195599.tif 000003
【図２】
2019195599.tif 000004
【図３】
2019195599.tif 000005
【図４】
2019195599.tif 000006
【図５】
2019195599.tif 000007
【図６】
2019195599.tif 000008
【図７】
2019195599.tif 000009
【図８】
2019195599.tif 000010
【図９】
2019195599.tif 000011
【図１０】
2019195599.tif 000012
【図１１】
2019195599.tif 000013
【図１２】
2019195599.tif 000014